(57)【要約】【課題】廉価でかつ容易に、複数の携帯電話機を同期させて同じパターンで点滅させることができるようにする。【解決手段】ユーザは、ＣＤ−ＲＯＭから接続情報を取得し、ディジタル携帯電話機５１−１乃至５１−４に記憶させておく。ディジタル携帯電話機５１−１乃至５１−４は、接続情報に基づいて、最寄りの基地局３１−１乃至３１−４、公衆回線網２３、およびネットワーク２２を介してコンテンツサーバ２１に接続する。ディジタル携帯電話機５１乃至５１−４は、基地局３１乃至３１−４から基準時刻情報を取得し、同期信号を生成し、生成された同期信号に同期して、コンテンツサーバ２１から受信した点滅パターンファイルに含まれる「点滅パターンデータ」に基づいて発光部を点滅させる。これにより、簡単でかつ容易に、複数の携帯電話機の発光部を同期させて同じパターンで点滅させることができる。本発明は、例えば、携帯電話機に適用できる。【選択図】      図１
2004297324.tif 000002
【特許請求の範囲】
【請求項１】
提供情報を取得する複数の移動自在な情報処理装置と、
地域ごとに分散して配置されている複数の接続装置を含むネットワークを介して複数の前記情報処理装置に、前記提供情報を提供する提供装置と
からなる情報提供システムにおいて、
前記情報処理装置は、予め取得した接続情報に定められている地域と時刻において、前記接続装置を介して前記提供装置に接続して、前記提供情報を取得し、
前記提供装置は、前記接続情報に基づいて、異なる時刻に接続してきた複数の前記情報処理装置に対して、前記提供情報を提供する
ことを特徴とする情報提供システム。
【請求項２】
提供情報を取得する複数の移動自在な情報処理装置と、
地域ごとに分散して配置されている複数の接続装置を含むネットワークを介して複数の前記情報処理装置に、前記提供情報を提供する提供装置と
からなる情報提供システムの情報提供方法において、
前記情報処理装置は、予め取得した接続情報に定められている地域と時刻において、前記接続装置を介して前記提供装置に接続して、前記提供情報を取得し、
前記提供装置は、前記接続情報に基づいて、異なる時刻に接続してきた複数の前記情報処理装置に対して、前記提供情報を提供する
ことを特徴とする情報提供方法。
【請求項３】
点滅する発光部を有する情報処理装置において、
前記発光部が点滅するパターンを含む点滅情報を取得する第１の取得手段と、
前記第１の取得手段により取得された前記点滅情報を記憶する記憶手段と、
前記発光部が点滅するときの同期の基準となる基準情報を取得する第２の取得手段と、
前記第２の取得手段により取得された前記基準情報と前記記憶手段により記憶された前記点滅情報に基づいて、前記発光部の点滅を制御する点滅制御手段と
を備えることを特徴とする情報処理装置。
【請求項４】
地域ごとに分散して配置されている複数の接続装置を介して複数の前記情報処理装置に前記点滅情報を提供する提供装置に接続する地域と時刻を含む接続情報を取得する接続情報取得手段と、
前記接続情報取得手段により取得された前記接続情報に基づいて、前記接続情報により指定された地域と時刻において、前記接続装置を介して前記提供装置に接続する接続手段と
をさらに備え、
前記第１の取得手段は、前記接続手段により接続された前記提供装置から、前記点滅情報を取得する
ことを特徴とする請求項３に記載の情報処理装置。
【請求項５】
前記点滅情報は、前記情報処理装置の電源を切り替える時刻を表す電源切り替え時刻情報、基準時刻を調整する時刻を表す調整時刻情報、前記発光部の点滅の開始時刻を表す点滅開始時刻情報、および前記発光部の点滅の終了時刻を表す点滅終了情報をさらに含む
ことを特徴とする請求項３に記載の情報処理装置。
【請求項６】
前記第２の取得手段は、前記基準情報として、クロックを調整するための基準時刻情報、または位置を表す位置情報を取得する
ことを特徴とする請求項３に記載の情報処理装置。
【請求項７】
前記第１の取得手段は、前記点滅情報を記録媒体から取得する
ことを特徴とする請求項３に記載の情報処理装置。
【請求項８】
点滅する発光部を有する情報処理装置の情報処理方法において、
前記発光部が点滅するパターンを含む点滅情報を取得する第１の取得ステップと、
前記第１の取得ステップの処理により取得された前記点滅情報を記憶する記憶ステップと、
前記発光部が点滅するときの同期の基準となる基準情報を取得する第２の取得ステップと、
前記第２の取得ステップの処理により取得された前記基準情報と前記記憶ステップにより記憶された前記点滅情報に基づいて、前記発光部の点滅を制御する点滅制御ステップと
を含むことを特徴とする情報処理方法。
【請求項９】
点滅する発光部を有する情報処理装置のプログラムであって、
前記発光部が点滅するパターンを含む点滅情報を取得する第１の取得ステップと、
前記第１の取得ステップの処理により取得された前記点滅情報を記憶する記憶ステップと、
前記発光部が点滅するときの同期の基準となる基準情報を取得する第２の取得ステップと、
前記第２の取得ステップの処理により取得された前記基準情報と前記記憶ステップにより記憶された前記点滅情報に基づいて、前記発光部の点滅を制御する点滅制御ステップと
をコンピュータに実行させることを特徴とするプログラム。
【発明の詳細な説明】
【０００１】
【発明の属する技術分野】
本発明は情報提供システムおよび方法、並びに情報処理装置および方法、プログラムに関し、特に、発光部を有する携帯電話機において、複数の携帯電話機が同期して同じ点滅パターンで点滅することができるようにした情報提供システムおよび方法、並びに情報処理装置および方法、プログラムに関する。
【０００２】
【従来の技術】
近年、一般に広く普及するようになった携帯電話機においては、他の携帯電話機や固定式電話機からの着信の有無をユーザに報知するために、ユーザに音、光、振動などを介して着信の有無を認識させるようにしている。また、最近の携帯電話機においては、他の携帯電話機や固定式電話機からの着信の有無だけでなく、発信相手を特定することができるように、相手に応じて着信報知パターンを変化させるものもある。
【０００３】
例えば、特許文献１には、発光する色と点滅パターンの組み合わせをユーザの嗜好に合わせて外部から任意に設定することができるようにすることが提案されている。
【０００４】
この提案では、ユーザは、コンテンツサーバからダウンロードすることにより、コンテンツデータとして任意の発光する色と点滅パターンの組み合わせを取得することができる。また、ユーザは、自らパーソナルコンピュータを用いることにより、任意の発光する色と点滅パターンの組み合わせを作成することができる。これにより、ユーザは、種々の色と点滅パターンで着信報知を行うことができる。
【０００５】
【特許文献１】
特開平２００１−１５７２５４号公報
【０００６】
【発明が解決しようとする課題】
ところで、特許文献１に開示されている技術によれば、携帯電話機において設定されたパターンで着信報知を行う場合、携帯電話機の内部において生成される基準クロックに基づいて発光素子を発光するように制御される。
【０００７】
従って、特許文献１に開示されている技術では、複数の携帯電話機の発光パターンを同期させることが困難であるという課題があった。
【０００８】
本発明は、このような状況に鑑みてなされたものであり、発光部を有する携帯電話機において、廉価でかつ容易に、複数の携帯電話機を同期させて同じパターンで点滅させることができるようにすることを目的としている。
【０００９】
【課題を解決するための手段】
本発明の情報提供システムは、提供情報を取得する複数の移動自在な情報処理装置と、地域ごとに分散して配置されている複数の接続装置を含むネットワークを介して複数の情報処理装置に、提供情報を提供する提供装置とからなる情報提供システムにおいて、情報処理装置が、予め取得した接続情報に定められている地域と時刻において、接続装置を介して提供装置に接続して、提供情報を取得し、提供装置が、接続情報に基づいて、異なる時刻に接続してきた複数の情報処理装置に対して、提供情報を提供することを特徴とする。
【００１０】
本発明の情報提供方法は、提供情報を取得する複数の移動自在な情報処理装置と、地域ごとに分散して配置されている複数の接続装置を含むネットワークを介して複数の情報処理装置に、提供情報を提供する提供装置とからなる情報提供システムの情報提供方法において、情報処理装置が、予め取得した接続情報に定められている地域と時刻において、接続装置を介して提供装置に接続して、提供情報を取得し、提供装置が、接続情報に基づいて、異なる時刻に接続してきた複数の情報処理装置に対して、提供情報を提供することを特徴とする。
【００１１】
本発明の情報処理装置は、発光部が点滅するパターンを含む点滅情報を取得する第１の取得手段と、第１の取得手段により取得された点滅情報を記憶する記憶手段と、発光部が点滅するときの同期の基準となる基準情報を取得する第２の取得手段と、第２の取得手段により取得された基準情報と記憶手段により記憶された点滅情報に基づいて、発光部の点滅を制御する点滅制御手段とを備えることを特徴とする。
【００１２】
この情報処理装置は、地域ごとに分散して配置されている複数の接続装置を介して複数の情報処理装置に点滅情報を提供する提供装置に接続する地域と時刻を含む接続情報を取得する接続情報取得手段と、接続情報取得手段により取得された接続情報に基づいて、接続情報により指定された地域と時刻において、接続装置を介して提供装置に接続する接続手段と、をさらに備え、第１の取得手段は、接続手段により接続された提供装置から、点滅情報を取得することを特徴とする。
【００１３】
点滅情報は、情報処理装置の電源を切り替える時刻を表す電源切り替え時刻情報、基準時刻を調整する時刻を表す調整時刻情報、発光部の点滅の開始時刻を表す点滅開始時刻情報、および発光部の点滅の終了時刻を表す点滅終了情報をさらに含むようにすることができる。
【００１４】
第２の取得手段は、基準情報として、クロックを調整するための基準時刻情報、または位置を表す位置情報を取得するようにすることができる。
【００１５】
第１の取得手段は、点滅情報を記録媒体から取得するようにすることができる。
【００１６】
本発明の情報処理方法は、発光部が点滅するパターンを含む点滅情報を取得する第１の取得ステップと、第１の取得ステップの処理により取得された点滅情報を記憶する記憶ステップと、発光部が点滅するときの同期の基準となる基準情報を取得する第２の取得ステップと、第２の取得ステップの処理により取得された基準情報と記憶ステップにより記憶された点滅情報に基づいて、発光部の点滅を制御する点滅制御ステップとを含むことを特徴とする。
【００１７】
本発明のプログラムは、発光部が点滅するパターンを含む点滅情報を取得する第１の取得ステップと、第１の取得ステップの処理により取得された点滅情報を記憶する記憶ステップと、発光部が点滅するときの同期の基準となる基準情報を取得する第２の取得ステップと、第２の取得ステップの処理により取得された基準情報と記憶ステップにより記憶された点滅情報に基づいて、発光部の点滅を制御する点滅制御ステップとをコンピュータに実行させることを特徴とする。
【００１８】
本発明の情報提供システムおよび方法においては、提供情報を取得する複数の移動自在な情報処理装置と、地域ごとに分散して配置されている複数の接続装置を含むネットワークを介して複数の情報処理装置に、提供情報を提供する提供装置とからなる情報提供システムにおいて、情報処理装置で、予め取得した接続情報に基づいて、予め定められている地域と時刻において、接続装置を介して提供装置に接続して、提供情報が取得され、提供装置で、接続情報に基づいて、異なる時刻に接続してきた複数の情報処理装置に対して、提供情報が提供される。
【００１９】
本発明の情報処理装置および方法、並びにプログラムにおいては、発光部が点滅するパターンを含む点滅情報が取得され、取得された点滅情報が記憶され、発光部が点滅するときの同期の基準となる基準情報が取得され、取得された基準情報と記憶された点滅情報に基づいて、発光部の点滅が制御される。
【００２０】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
すなわち、請求項１に記載の情報処理システムは、提供情報（例えば、点滅パターンファイル）を取得する複数の移動自在な情報処理装置（例えば、図１のディジタル携帯電話機５１−１乃至５１−４）と、地域ごとに分散して配置されている複数の接続装置（例えば、図１の基地局３１−１乃至３１−４）を含むネットワーク（例えば、図１のネットワーク２２）を介して複数の情報処理装置に、提供情報を提供する提供装置（例えば、図１のコンテンツサーバ２１）とからなる情報提供システム（例えば、図１のネットワークシステム１）において、情報処理装置は、予め取得した接続情報に定められている地域と時刻において、接続装置を介して提供装置に接続して、提供情報を取得し、提供装置は、接続情報に基づいて、異なる時刻に接続してきた複数の情報処理装置に対して、提供情報を提供することを特徴とする。
【００２３】
請求項２に記載の情報処理方法は、提供情報（例えば、点滅パターンファイル）を取得する複数の移動自在な情報処理装置（例えば、図１のディジタル携帯電話機５１−１乃至５１−４）と、地域ごとに分散して配置されている複数の接続装置（例えば、図１の基地局３１−１乃至３１−４）を含むネットワーク（例えば、図１のネットワーク２２）を介して複数の情報処理装置に、提供情報を提供する提供装置（例えば、図１のコンテンツサーバ２１）とからなる情報提供システムの情報処理方法（例えば、図１のネットワークシステム１）において、情報処理装置は、予め取得した接続情報に基づいて、予め定められている地域と時刻において、接続装置を介して提供装置に接続して、提供情報を取得し、提供装置は、接続情報に基づいて、異なる時刻に接続してきた複数の情報処理装置に対して、提供情報を提供することを特徴とする。
【００２４】
請求項３に記載の情報処理装置は、発光部が点滅するパターン（例えば、点滅パターンデータ）を含む点滅情報（例えば、点滅パターンファイル）を取得する第１の取得手段（例えば、図７のステップＳ６の処理を実行する図６の送受信回路部２６２）と、第１の取得手段により取得された点滅情報を記憶する記憶手段（例えば、図７のステップＳ７の処理を実行する図６の記憶部２６４）と、発光部が点滅するときの同期の基準となる基準情報を取得する第２の取得手段（例えば、図１２のステップＳ５５の処理を実行する図６の送受信回路部２６２）と、第２の取得手段により取得された基準情報と記憶手段により記憶された点滅情報に基づいて、発光部の点滅を制御する点滅制御手段（例えば、図１２のステップＳ５９の処理を実行する図６の発光素子２２５と発光素子２２６からなる発光部２６６）とを備えることを特徴とする。
【００２５】
この情報処理装置は、地域ごとに分散して配置されている複数の接続装置（例えば、図１の基地局３１−１乃至３１−４）を含むネットワーク（例えば、図１のネットワーク２２）を介して複数の情報処理装置（例えば、図１のディジタル携帯電話機５１−１乃至５１−４）に点滅情報（例えば、点滅パターンファイル）を提供する提供装置（例えば、図１のコンテンツサーバ２１）に接続する地域と時刻を含む接続情報（例えば、接続情報）を取得する接続情報取得手段（例えば、図７のステップＳ１の処理を実行する図６の送受信回路部２６２）と、接続情報取得手段により取得された接続情報に基づいて、接続情報により指定された地域と時刻において、接続装置を介して提供装置に接続する接続手段（例えば、図７のステップＳ４の処理を実行する図６の変復調回路部２５８）とをさらに備え、第１の取得手段は、接続手段により接続された提供装置から、点滅情報を取得するようにすることができる。
【００２６】
点滅情報は、情報処理装置の電源を切り替える時刻を表す電源切り替え時刻情報、基準時刻を調整する時刻を表す調整時刻情報、発光部の点滅の開始時刻を表す点滅開始時刻情報、および発光部の点滅の終了時刻を表す点滅終了情報をさらに含むようにすることができる。
【００２７】
第２の取得手段は、基準情報として、クロックを調整するための基準時刻情報、または位置を表す位置情報を取得するようにすることができる。
【００２８】
第１の取得手段は、点滅情報を記録媒体から取得するようにすることができる。
【００２９】
請求項８に記載の情報処理方法は、発光部が点滅するパターン（例えば、点滅パターンデータ）を含む点滅情報（例えば、点滅パターンファイル）を取得する第１の取得ステップ（例えば、図７のステップＳ６）と、第１の取得ステップの処理により取得された点滅情報を記憶する記憶ステップ（例えば、図７のステップＳ７）と、発光部が点滅するときの同期の基準となる基準情報を取得する第２の取得ステップ（例えば、図１２のステップＳ５５）と、第２の取得ステップの処理により取得された基準情報と記憶ステップにより記憶された点滅情報に基づいて、発光部の点滅を制御する点滅制御ステップ（例えば、図１２のステップＳ５９）とを含むことを特徴とする。
【００３０】
請求項９に記載のプログラムは、発光部が点滅するパターン（例えば、点滅パターンデータ）を含む点滅情報（例えば、点滅パターンファイル）を取得する第１の取得ステップ（例えば、図７のステップＳ６）と、第１の取得ステップの処理により取得された点滅情報を記憶する記憶ステップ（例えば、図７のステップＳ７）と、発光部が点滅するときの同期の基準となる基準情報を取得する第２の取得ステップ（例えば、図１２のステップＳ５５）と、第２の取得ステップの処理により取得された基準情報と記憶ステップにより記憶された点滅情報に基づいて、発光部の点滅を制御する点滅制御ステップ（例えば、図１２のステップＳ５９）とをコンピュータに実行させることを特徴とする。
【００３１】
なお、勿論この記載は、各手段を上記したものに限定することを意味するものではない。
【００３２】
図１は、本発明を適用した情報提供システムとしてのネットワークシステム１の全体の構成を表している。
【００３３】
ネットワークシステム１には、通信サービスの提供エリアを所望の大きさに分割したセル内にそれぞれ固定無線局である基地局３１−１乃至３１−４が設置されている。すなわち、基地局３１−１乃至３１−４は、地域ごとに分散して配置されている。これらの基地局３１−１乃至３１−４には、移動無線局であるディジタル携帯電話機５１−１乃至５１−４が例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）と呼ばれる符号分割多元接続方式によって無線接続されており、２［ＧＨｚ］の周波数帯域を使用して最大２［Ｍｂｐｓ］のデータ転送速度で大容量データを高速にデータ通信することができる。
【００３４】
このようにディジタル携帯電話機５１−１乃至５１−４は、Ｗ−ＣＤＭＡ方式によって大容量データを高速に通信する機能を有し、音声通話だけでなく電子メールの送受信、簡易ホームページの閲覧、画像の送受信等の多種に及ぶデータ通信を実行できる。
【００３５】
また基地局３１−１乃至３１−４は、有線回線を介して公衆回線網２３に接続されており、公衆回線網２３にはネットワーク２２（例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）その他の各種のネットワークを含む）が接続されている。ネットワーク２２には、コンテンツサーバ２１が接続されている。
【００３６】
コンテンツサーバ２１は、加入者有線端末やディジタル携帯電話機５１−１乃至５１−４からの要求に応じて点滅パターンファイルを例えばコンパクトＨＴＭＬ（Ｈｙｐｅｒ  Ｔｅｘｔ  Ｍａｒｋｕｐ  Ｌａｎｇｕａｇｅ）形式のファイルとして提供する。
【００３７】
ところで公衆回線網２３に接続されているネットワーク２２には、多数のＷＷＷサーバ（図示せず）が接続されている。ディジタル携帯電話機５１−１乃至５１−４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルに従ってこれらのＷＷＷサーバに対してアクセスすることができる。
【００３８】
因みにディジタル携帯電話機５１−１乃至５１−４は、基地局３１−１乃至３１−４までを２  ［Ｍｂｐｓ］  の簡易トランスポートプロトコルで通信し、基地局３１−１乃至３１−４からインターネットを介してＷＷＷサーバまでは、ＴＣＰ／ＩＰプロトコルで通信される。
【００３９】
管理制御装置２４は、公衆回線網２３を介して加入者有線端末やディジタル携帯電話機５１−１乃至５１−４に接続されており、加入者有線端末やディジタル携帯電話機５１−１乃至５１−４に対する認証処理や種々の課金処理等を行う。
【００４０】
また、ディジタル携帯電話機５１−１乃至５１−４は、以下において、それぞれを個々に区別する必要がない場合、ディジタル携帯電話機５１と総称し、基地局３１−１乃至３１−４は、以下において、それぞれを個々に区別する必要がない場合、基地局３１と総称する。
【００４１】
図２は、図１のコンテンツサーバ２１の構成を表している。
【００４２】
コンテンツサーバ２１は、送受信部１０１、制御部１０２、およびデータベース１０３により構成されている。
【００４３】
送受信部１０１は、ネットワーク２２を介してディジタル携帯電話機５１から点滅パターン要求信号を受信するとともに、制御部１０２から供給される点滅パターンファイルをネットワーク２２を介して送信する。また、送受信部１０１は、制御部１０２から供給されたエラー処理に対応するメッセージをネットワーク２２を介してディジタル携帯電話機５１に送信する。
【００４４】
制御部１０２は、送受信部１０１から供給された点滅パターン要求信号に含まれる電話番号（ユーザが所有するディジタル携帯電話機５１の電話番号）が、データベース１０３に登録されている電話番号と一致するか否か（登録されているか否か）を判定する。送受信部１０１から供給された点滅パターン要求信号に含まれる電話番号がデータベース１０３に登録されていると判定された場合、制御部１０２は、データベース１０３に登録されている点滅パターンファイルを読み出し、送受信部１０１に供給する。
【００４５】
データベース１０３は、点滅パターンファイルと電話番号（ユーザが所有するディジタル携帯電話機５１の電話番号）を対応付けて登録しており、必要に応じて制御部１０２に供給する。
【００４６】
送受信部１０１から供給された点滅パターン要求信号に含まれる電話番号がデータベース１０３に登録されていないと判定された場合、制御部１０２は、エラー処理を実行し、エラー処理に対応するメッセージを送受信部１０１に供給する。
【００４７】
図３は、図１のディジタル携帯電話機５１の外観の構成を表している。
【００４８】
図３に示されるように、ディジタル携帯電話機５１は、中央のヒンジ部２１１を境に表示部２１２と本体２１３とに分けられており、ヒンジ部２１１を介して折り畳み可能に形成されている。表示部２１２には、上端左部に送受信用のアンテナ２１４が引出し及び収納可能な状態に取り付けられており、アンテナ２１４を介して基地局３１との間で電波を送受信する。
【００４９】
また表示部２１２には、上端中央部にほぼ１８０度の角度範囲で回動自在なカメラ部２１５が設けられており、カメラ部２１５のＣＣＤカメラ２１６によって所望の撮像対象を撮像することができる。さらに、カメラ部２１５の右端には、例えば、ＬＥＤなどよりなる発光素子２２５が設けられており、発光素子２２５は、着信時などに着信音などとともに任意の発光色と点滅パターン（以下、単に「点滅パターン」という）で発光する。
【００５０】
表示部２１２は、カメラ部２１５がユーザによってほぼ１８０度回動されて位置決めされた場合、図４に示されるように、カメラ部２１５の背面側中央に設けられたスピーカ２１７が正面側に位置することになり、これにより通常の音声通話状態に切り換わる。
【００５１】
また、表示部２１２には、その正面に液晶ディスプレイ２１８が設けられており、電波の受信状態、電池残量、電話帳として登録されている相手先名、電話番号及び送信履歴等の他、電子メールの内容、簡易ホームページ、カメラ部２１５のＣＣＤカメラ２１６で撮像した画像を表示することができる。
【００５２】
一方、本体２１３には、その表面に「０」乃至「９」の数字キー、発呼キー、リダイヤルキー、終話及び電源キー、クリアキー、および電子メールキー等の操作キー２１９が設けられており、操作キー２１９を用いて各種指示を入力することができる。また本体２１３には、操作キー２１９の下部にメモボタン２２０やマイクロフォン２２１が設けられており、メモボタン２２０によって通話中の相手の音声を録音することができるとともに、マイクロフォン２２１によって通話時のユーザの音声を集音する。
【００５３】
さらに本体２１３には、操作キー２１９の上部に回動自在なジョグダイヤル２２２が本体２１３の表面から僅かに突出した状態で設けられており、ジョグダイヤル２２２に対する回動操作に応じて液晶ディスプレイ２１８に表示されている電話帳リストや電子メールのスクロール動作、簡易ホームページのページ捲り動作及び画像の送り動作等の種々の動作を実行する。
【００５４】
例えば本体２１３は、ユーザによるジョグダイヤル２２２の回動操作に応じて液晶ディスプレイ２１８に表示された電話帳リストの複数の電話番号の中から所望の電話番号が選択され、ジョグダイヤル２２２が本体２１３の内部方向に押圧されると、選択された電話番号を確定して電話番号に対して発呼処理を行う。
【００５５】
なお本体２１３は、背面側に図示しないバッテリパックが装着されており、終話及び電源キーがオン状態になると、バッテリパックから各回路部に対して電力が供給されて動作可能な状態に起動する。
【００５６】
ところで本体２１３には、本体２１３の左側面上部に抜差自在なメモリスティック（出願人会社の商標）２２３を装着するためのメモリスティックスロット２２４が設けられており、メモボタン２２０が押下されるとメモリスティック２２３に通話中の相手の音声を記録したり、ユーザの操作に応じて電子メール、簡易ホームページ、ＣＣＤカメラ２１６で撮像した画像を記録することができる。
【００５７】
ここでメモリスティック２２３は、本願出願人であるソニー株式会社によって開発されたフラッシュメモリカードの一種である。このメモリスティック２２３は、縦２１．５×横５０×厚さ２．８［ｍｍ］の小型薄型形状のプラスチックケース内に電気的に書換えや消去が可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）の一種であるフラッシュメモリ素子を格納したものであり、１０ピン端子を介して画像や音声、音楽等の各種データの書き込み及び読み出しが可能となっている。
【００５８】
またメモリスティック２２３は、大容量化等による内蔵フラッシュメモリの仕様変更に対しても、使用する機器で互換性を確保することができる独自のシリアルプロトコルを採用し、最大書込速度１．５［ＭＢ／Ｓ］、最大読出速度２．４５［ＭＢ／Ｓ］の高速性能を実現していると共に、誤消去防止スイッチを設けて高い信頼性を確保している。
【００５９】
従ってディジタル携帯電話機５１は、このようなメモリスティック２２３を装着可能に構成されているために、メモリスティック２２３を介して他の電子機器との間でデータの共有化を図ることができる。
【００６０】
図５は、ディジタル携帯電話機５１の背面側の外観の構成を表している。
【００６１】
スピーカ２１７の左端には、上述した発光素子２２５（図４）が設けられており、上端中央部のカメラ部２１５の側面に沿うように設けられている。また、表示部２１２の背面側には、中央部に発光素子２２６が設けられており、発光素子２２６は、上述した発光素子２２５と同様に、着信時などに着信音などとともに任意の点滅パターンで発光する。
【００６２】
なお、以上における発光素子としては、ＬＥＤの他、ＥＬ（Ｅｌｅｃｔｒｏ  Ｌｕｍｉｎｅｓｃｅｎｃｅ）素子、ＬＤ（Ｌａｓｅｒ  ｄｉｏｄｅ）素子、電熱灯、零極蛍光管などを用いるようにしてもよい。
【００６３】
図６は、ディジタル携帯電話機５１の内部の構成を表している。
【００６４】
図６に示されるように、ディジタル携帯電話機５１は、表示部２１２及び本体２１３の各部を統括的に制御する主制御部２５０に対して、電源回路部２５１、操作入力制御部２５２、画像エンコーダ２５３、カメラインタフェース部２５４、ＬＣＤ（Ｌｉｑｕｉｄ  Ｃｒｙｓｔａｌ  Ｄｉｓｐｌａｙ）制御部２５５、多重分離部２５７、変復調回路部２５８、音声コーデック２５９、記憶部２６４、発光素子駆動部２６５、同期信号生成部２６７、およびクロック２６８がメインバス２６０を介して互いに接続されるとともに、画像エンコーダ２５３、画像デコーダ２５６、多重分離部２５７、変復調回路部２５８、音声コーデック２５９、および記録再生部２６３が同期バス２６１を介して互いに接続されて構成されている。
【００６５】
電源回路部２５１は、ユーザの操作により終話及び電源キーがオン状態にされると、バッテリパックから各部に対して電力を供給することによりディジタル携帯電話機５１を動作可能な状態に起動する。
【００６６】
ディジタル携帯電話機５１は、ＣＰＵ、ＲＯＭ、およびＲＡＭ等でなる主制御部２５０の制御に基づいて、音声通話モード時にマイクロフォン２２１で集音した音声信号を音声コーデック２５９によってディジタル音声信号に変換、圧縮し、これを変復調回路部２５８でスペクトラム拡散処理し、送受信回路部２６２でディジタルアナログ変換処理及び周波数変換処理を施した後にアンテナ２１４を介して送信する。
【００６７】
またディジタル携帯電話機５１は、音声通話モード時にアンテナ２１４で受信した受信信号を増幅して周波数変換処理及びアナログディジタル変換処理を施し、変復調回路部２５８でスペクトラム逆拡散処理し、音声コーデック２５９によって伸張し、アナログ音声信号に変換した後、これをスピーカ２１７を介して出力する。
【００６８】
さらにディジタル携帯電話機５１は、データ通信モード時に電子メールを送信する場合、操作キー２１９及びジョグダイヤル２２２の操作によって入力された電子メールのテキストデータを操作入力制御部２５２を介して主制御部２５０に送出する。主制御部２５０は、テキストデータを変復調回路部２５８でスペクトラム拡散処理し、送受信回路部２６２でディジタルアナログ変換処理及び周波数変換処理を施した後にアンテナ２１４を介して基地局３１へ送信する。
【００６９】
これに対してディジタル携帯電話機５１は、データ通信モード時に電子メールを受信する場合、アンテナ２１４を介して基地局３１から受信した受信信号を変復調回路部２５８でスペクトラム逆拡散処理して元のテキストデータを復元した後、ＬＣＤ制御部２５５を介して液晶ディスプレイ２１８に電子メールとして表示する。
【００７０】
その後ディジタル携帯電話機５１は、ユーザの操作に応じて受信した電子メールを記録再生部２６３を介してメモリスティック２２３に記録することも可能である。
【００７１】
ディジタル携帯電話機５１は、画像信号を送信しない場合には、ＣＣＤカメラ２１６で撮像した画像信号をカメラインタフェース部２５４及びＬＣＤ制御部２５５を介して液晶ディスプレイ２１８に直接表示する。
【００７２】
ディジタル携帯電話機５１は、データ通信モード時に画像信号を送信する場合、ＣＣＤカメラ２１６で撮像された画像信号をカメラインタフェース部２５４を介して画像エンコーダ２５３に供給する。
【００７３】
画像エンコーダ２５３は、ＣＣＤカメラ２１６から供給された画像信号を、例えばＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより符号化画像信号に変換し、これを多重分離部２５７に送出する。このとき同時にディジタル携帯電話機５１は、ＣＣＤカメラ２１６で撮像中にマイクロフォン２２１で集音した音声を音声コーデック２５９を介してディジタルの音声信号として多重分離部２５７に送出する。
【００７４】
多重分離部２５７は、画像エンコーダ２５３から供給された符号化画像信号と音声コーデック２５９から供給された音声信号とを所定の方式で多重化し、その結果得られる多重化信号を変復調回路部２５８でスペクトラム拡散処理し、送受信回路部２６２でディジタルアナログ変換処理及び周波数変換処理を施した後にアンテナ２１４を介して送信する。
【００７５】
これに対してディジタル携帯電話機５１は、データ通信モード時に例えば簡易ホームページ等にリンクされた動画像ファイルのデータを受信する場合、アンテナ２１４を介して基地局３１から受信した受信信号を変復調回路部２５８でスペクトラム逆拡散処理し、その結果得られる多重化信号を多重分離部２５７に送出する。
【００７６】
多重分離部２５７は、多重化信号を分離することにより符号化画像信号と音声信号とに分け、同期バス２６１を介して符号化画像信号を画像デコーダ２５６に供給すると共に音声信号を音声コーデック２５９に供給する。画像デコーダ２５６は、符号化画像信号をＭＰＥＧ２やＭＰＥＧ４等の所定の符号化方式に対応した復号化方式でデコードすることにより再生動画像信号を生成し、これをＬＣＤ制御部２５５を介して液晶ディスプレイ２１８に供給し、これにより、例えば、簡易ホームページにリンクされた動画像ファイルに含まれる動画データが表示される。
【００７７】
このとき同時に音声コーデック２５９は、音声信号をアナログ音声信号に変換した後、これをスピーカ２１７に供給し、これにより、例えば、簡易ホームページにリンクされた動画像ファイルに含まる音声信号が再生される。この場合も電子メールの場合と同様にディジタル携帯電話機５１は、受信した簡易ホームページ等にリンクされたデータをユーザの操作により記録再生部２６３を介してメモリスティック２２３に記録することが可能である。
【００７８】
記憶部２６４は、コンテンツサーバ２１からネットワーク２２を介して送受信回路部２６２により受信された点滅パターンファイルを記憶し、主制御部２５０の指示に基づいて、発光素子駆動部２６５に点滅パターンファイルのうち必要なデータ（例えば、点滅パターンデータ）を供給する。また、ディジタル携帯電話機５１の電話番号が記憶されており、必要に応じてバス２６０を介して変復調回路部２５８に供給する。
【００７９】
同期信号生成部２６７は、クロック２６８から基準時刻情報を読み出すとともに、読み出された基準時刻情報に基づいて、ディジタル携帯電話機５１内において同期をとるための同期信号を生成し、ディジタル携帯電話機５１の各部分に供給する。クロック２６８は、現在時刻を正確に計時し、必要に応じて同期信号生成部２６７に基準時刻情報を供給する。
【００８０】
発光素子駆動部２６５は、主制御部２５０の制御に基づいて、同期信号生成部２６７から供給された同期信号に同期して発光素子２２５と発光素子２２６からなる発光部２６６を駆動させる。
【００８１】
同期バス２６１とバス２６０には、入出力インタフェース２６９が接続されている。入出力インタフェース２６９は、例えばＵＳＢケーブルを介してパーソナルコンピュータと接続され、データを授受する。
【００８２】
複数のディジタル携帯電話機５１の発光部２６６を、同期して同じ点滅パターンで点滅させることは、例えば、ライブ会場に集まった数万人の観客（ユーザ）が、ライブイベントを一体的に楽しむために行われる。このような場合、ユーザは、まず、ライブチケットを事前に購入する際、そのライブにおいて使用される点滅パターンファイルを提供するコンテンツサーバ２１に接続するための接続情報が記録されたＣＤ−ＲＯＭ（ＤＶＤ（Ｄｉｇｉｔａｌ  Ｖｅｒｓａｔｉｌｅ  Ｄｉｓｃ）などでもよい）を同時に購入する。なお、ユーザはライブチケットを購入する際（ＣＤ−ＲＯＭを購入する際）、所定の手続とともに、自分のディジタル携帯電話機５１の電話番号を通知する。コンテンツサーバ２１のデータベース１０３には、ライブチケット購入時に、各ユーザにより通知されたユーザ自身のディジタル携帯電話機５１の電話番号が、そのライブにおいて使用される点滅パターンファイルとともに対応付けて登録される。その後、ユーザは、購入したＣＤ−ＲＯＭなどに記録されている接続情報を、ＵＳＢケーブルなどを介して自分のディジタル携帯電話機５１に送信し、記憶させる。
【００８３】
次に、図７のフローチャートを参照して、ディジタル携帯電話機５１に点滅パターンファイルを記憶させる処理について説明する。なお、この処理は、ユーザが購入したＣＤ−ＲＯＭを、パーソナルコンピュータに装着し、そこに記録されている接続情報を、ＵＳＢケーブルなどを介して自分のディジタル携帯電話機５１に送信することを指令したときに開始される。
【００８４】
ステップＳ１において、主制御部２５０は、入出力インタフェース２６９を介してＣＤ−ＲＯＭなどに記録されている接続情報を取得する。ステップＳ２において、主制御部２５０は、取得された接続情報を記憶部２６４に記憶させる。ＣＤ−ＲＯＭなどから取得された接続情報は、図８に示されるように、例えば、「点滅パターンファイルタイトル名」、「アクセス先アドレス」、および「アクセス時刻データ」から構成されている。「点滅パターンファイルタイトル名」は、処理対象とされる点滅パターンファイルのタイトル名であり、「アクセス先アドレス」は、点滅パターンをコンテンツとしてディジタル携帯電話機５１や情報処理端末などに提供するコンテンツサーバ２１のＵＲＬ（Ｕｎｉｆｏｒｍ  Ｒｅｓｏｕｒｃｅ  Ｌｏｃａｔｏｒ）であり、「アクセス時刻データ」とは、ＣＤ−ＲＯＭを購入したユーザ（ライブチケットを購入したユーザ）のディジタル携帯電話機５１からコンテンツサーバ２１に接続する時刻である。
【００８５】
なお、各ユーザがライブチケット購入時に同時に購入したＣＤ−ＲＯＭに記録されている接続情報に含まれるダウンロード開始時刻は、ネットワーク２２などのトラフィックが混雑しないようにするために、ＣＤ−ＲＯＭごとに予め分散して設定されている。具体的には、ＣＤ−ＲＯＭを購入したユーザ（ライブチケットを購入したユーザ）の順に、例えば、１番目乃至１００番目のユーザに配布するＣＤ−ＲＯＭには、アクセス時刻として「２０：００」が記録されており、１０１番目乃至２００番目のユーザに配布するＣＤ−ＲＯＭには、アクセス時刻として「２１：００」が記録されている。
【００８６】
ステップＳ３において、主制御部２５０は、記憶部２６４に記憶されている「アクセス時刻データ」を読み出し、クロック２６８からの基準時刻情報を参照して、現在時刻がアクセス時刻であるか否かを判定する。
【００８７】
ステップＳ３において、現在時刻がまだアクセス時刻ではないと判定された場合、処理は現在時刻がアクセス時刻になるまで待機する。
【００８８】
ステップＳ３において、現在時刻がまだアクセス時刻である（または、アクセス時刻を過ぎている）と判定された場合、主制御部２５０はステップＳ４で、変復調回路部２５８に回線を接続させるとともに、記憶部２６４に記憶された「アクセス先アドレス」（すなわち、コンテンツサーバ２１のＵＲＬ）を読み出し、そのアドレス（コンテンツサーバ２１）に接続させる。
【００８９】
ステップＳ５において、主制御部２５０は、記憶部２６４に記憶されている電話番号（例えば、「０９０１２３４５５５５」の電話番号）を読み出し、読み出された電話番号を含む点滅パターン要求信号を生成し、バス２６０を介して変復調回路部２５８に供給する。変復調回路部２５８は、主制御部２５０から供給された点滅パターン要求信号をスペクトラム拡散処理し、送受信回路部２６２に供給する。送受信回路部２６２は、変復調回路部２５８から供給された点滅パターン要求信号にディジタルアナログ変換処理及び周波数変換処理を施した後、アンテナ２１４、最寄りの基地局３１、公衆回線網２３、およびネットワーク２２を介してコンテンツサーバ２１に送信する。
【００９０】
なお、現在時刻が予め設定されたアクセス時刻になった場合に、ディジタル携帯電話機５１の本体２１３の電源がオフにされているとき、発呼動作ができない。そこで、その場合には、ユーザによりそれ以降において電源がオンにされたとき、この処理が実行される。
【００９１】
図７のステップＳ５の点滅パターン要求処理に対応して、コンテンツサーバ２１は、図９のフローチャートに示されるように、点滅パターンファイル配信処理を実行する。
【００９２】
ステップＳ２１において、制御部１０２は、ネットワーク２２を介して送受信部１０１が点滅パターン要求信号を受信したか否かを判定する。ステップＳ２１において送受信部１０１が点滅パターン要求信号を受信していないと判定された場合、処理は点滅パターン要求信号を受信するまで待機する。
【００９３】
ステップＳ２１において送受信部１０１が点滅パターン要求信号を受信したと判定された場合、制御部１０２はステップＳ２２で、点滅パターン要求信号に含まれている電話番号（例えば、「０９０１２３４５５５５」の電話番号）が、データベース１０３に登録されている電話番号と一致するか否か（登録されているか否か）を判定する。なお、コンテンツサーバ２１のデータベース１０３には、ライブやイベントなどの会場で使用される種々の点滅パターンファイルがユーザのディジタル携帯電話機５１の電話番号と対応付けて登録されている。
【００９４】
図１０は、データベース１０３に登録、管理されている情報の例を表している。
【００９５】
図１０の例の場合、第１列目乃至第３列目に、それぞれ、「管理番号」、「電話番号」、おとび「点滅パターンファイル」が対応付けて登録されている。第１列目の「管理番号」は、コンテンツサーバ２１に管理されている点滅パターンファイルの管理用の番号である。第２列目の「電話番号」は、ライブチケット購入時、ユーザより所定の用紙に記入された（通知された）電話番号である。第３列目の「点滅パターンファイル」は、ライブチケット購入時にユーザが購入したＣＤ−ＲＯＭに記録されている接続情報に含まれる「点滅パターンファイル名」に対応する点滅パターンファイルであり、ライブ会場において実際に使用される点滅パターンのデータが含まれている。
【００９６】
図１０の例の場合、「管理番号」が「１」の「電話番号」は「０９０１２３４５５５５」とされている。また、対応する「点滅パターンファイル」は「ｆｉｌｅ１」とされている。「管理番号」が「２」の「電話番号」は「０９０２３４５６１７３」とされ、「点滅パターンファイル」は「ｆｉｌｅ２」とされている。「管理番号」が「３」の「電話番号」は「０９０１２９５４２３７」とされ、「点滅パターンファイル」は「ｆｉｌｅ３」とされている。
【００９７】
ステップＳ２２において電話番号がデータベース１０３に登録されていると判定された場合、制御部１０２はステップＳ２３で、データベース１０３から登録されている電話番号（図１０の例の場合、「０９０１２３４５５５５」、「０９０２３４５６１７３」、または「０９０１２９５４２３７」）に対応する点滅パターンファイル（図１０の例の場合、「ｆｉｌｅ１」、「ｆｉｌｅ２」、または「ｆｉｌｅ３」）を読み出し、送受信部１０１に供給する。
【００９８】
ステップＳ２４において、送受信部１０１は、制御部１０２から供給された点滅パターンファイルをネットワーク２２を介してディジタル携帯電話機５１に送信する。その後、処理はステップＳ２１に戻り、同様の処理が繰り返される。
【００９９】
ステップＳ２２において電話番号がデータベース１０３に登録されていないと判定された場合、制御部１０２はステップＳ２５で、エラー処理を実行し、エラー処理に対応するメッセージを送受信部１０１に通知する。送受信部１０１は、制御部１０２から供給されたエラー処理に対応するメッセージをネットワーク２２を介してディジタル携帯電話機５１に送信する。その後、処理はステップＳ２１に戻り、同様の処理が繰り返される。
【０１００】
図７に戻り、ステップＳ６において、主制御部２５０は、ネットワーク２２を介してコンテンツサーバ２１から送受信回路部２６２が点滅パターンファイルを受信したか否かを判定する。ステップＳ６においてコンテンツサーバ２１から送受信回路部２６２が点滅パターンファイルを受信したと判定された場合、主制御部２５０は、受信した点滅パターンファイルを変復調回路部２５８でスペクトラム逆拡散処理して元のデータを復元し、点滅パターンファイル（図１０の例の場合、「ｆｉｌｅ１」、「ｆｉｌｅ２」、または「ｆｉｌｅ３」）を取得する。ステップＳ７において、記憶部２６４は、点滅パターンファイルを記憶する。なお、受信された点滅パターンファイルは、メモリスティック２２３に記憶させるようにしてもよい。
【０１０１】
このようにして、ＣＤ−ＲＯＭに予め記録されたダウンロード開始時刻になると、各ユーザの携帯電話機からコンテンツサーバ２１にアクセスが行われ、点滅パターンが各ユーザに提供される。コンテンツサーバ２１から点滅パターンの取得を希望するユーザが大勢いたとしても、ダウンロード開始時刻を予め分散して設定しているので、ネットワーク２２などの回線の混雑を抑制することができる。
【０１０２】
一方、ステップＳ６においてコンテンツサーバ２１から送受信回路部２６２が点滅パターンファイルを受信していないと判定された場合、主制御部２５０は、エラー処理を実行する。
【０１０３】
点滅パターンファイルは、例えば、図１１に示されるように、「点滅パターンファイル管理データ」と「点滅パターンファイルデータ」から構成される。
【０１０４】
「点滅パターンファイル管理データ」は、「点滅パターンファイルタイトル名」、「電源切り替え時刻データ」、および「調整時刻データ」からなる。「点滅パターンファイルタイトル名」は、取得された点滅パターンファイルのタイトル名である。また、「電源切り替え時刻データ」は、点滅パターンに基づいて発光部２６６を点滅させることができるように本体２１３の電源がオフであれば、それをオンに切り替える時刻を表す時刻データであり、「調整時刻データ」は、例えば、最寄りの基地局３１からの基準時刻情報に基づいて、クロック２６８の計時動作の基準時刻を調整するための時刻を表す時刻データである。
【０１０５】
一方、「点滅パターンファイルデータ」は、「点滅パターンデータ」、「点滅開始時刻データ」、および「点滅終了時刻データ」からなる。「点滅パターンデータ」は、発光部２６６が点滅するときの発光色と点滅パターンとの組み合わせであり、例えば、「レッド」の発光色で１秒間に１回点滅するなどの点滅パターンを表す。また、「点滅開始時刻データ」は、発光部２６６に点滅パターンに基づく点滅を開始させる時刻を表す時刻データであり、「点滅終了時刻データ」は、発光部２６６に点滅パターンに基づく点滅を終了させる時刻を表す時刻データである。
【０１０６】
なお、「点滅パターンファイルデータ」に含まれる「点滅パターンデータ」は、複数の点滅パターンから構成されてもよく、例えば、実際のライブにおいて１曲ごとに異なる点滅パターンに基づいて点滅することができるようにしてもよい。この場合、「点滅開始時刻データ」と「点滅終了時刻データ」には、「点滅パターンデータ」に含まれる点滅パターンに対応する、複数の点滅開始時刻と点滅終了時刻が含まれる。
【０１０７】
勿論、「点滅パターンファイルデータ」に含まれる「点滅パターンデータ」は、「レッド」の発光色で１秒間に１回点滅するなどの単純な点滅パターンだけでなく、例えば、複数の発光色で複雑に点滅する点滅パターンでもよい。
【０１０８】
なお、コンテンツサーバ２１から点滅パターンファイルをダウンロードする際、点滅パターンファイルのダウンロードとは関係ない他のユーザの通信に与える影響を少なくするように、アクセス時刻を予め真夜中や、ネットワーク２２のトラフィックの端境期に設定したり、基地局３１のハンドオーバの隙間チャンネルなどを使用するなどしたりするようにしてもよい。また、コンテンツサーバ２１からディジタル携帯電話機５１に点滅パターンファイルを送信する際、点滅パターンファイルを分割して送信するようにしてもよい。この場合、ユーザのディジタル携帯電話機５１においては、点滅パターンファイルの記録が完了するまで、時分割でアクセス処理が行われる。
【０１０９】
このようにして、ディジタル携帯電話機５１に点滅パターンファイルを記憶させることができる。
【０１１０】
ライブ会場に集まった数万人の観客（ユーザ）が、携帯したディジタル携帯電話機５１で同期して同じ点滅パターンで発光部２６６を点滅することでライブを楽しむ場合、各ユーザは、図１２に示されるような同期点滅処理を、自分自身のディジタル携帯電話機５１に実行させる。
【０１１１】
次に、図１２のフローチャートを参照して、ディジタル携帯電話機５１における同期点滅処理について説明する。
【０１１２】
ステップＳ５１において、主制御部２５０は、記憶部２６４に記憶されている「電源切り替え時刻データ」を読み出し、クロック２６８からの基準時刻情報を参照して、現在時刻が電源切り替え時刻であるか否かを判定する。
【０１１３】
ステップＳ５１において現在時刻が電源切り替え時刻ではないと判定された場合、処理は現在時刻が電源切り替え時刻になるまで待機する。
【０１１４】
ステップＳ５１において現在時刻が電源切り替え時刻であると判定された場合、主制御部２５０はステップＳ５２で、本体２１３の電源がオンにされているか否かを判定する。
【０１１５】
ステップＳ５２において本体２１３の電源がオンにされていないと判定された場合、主制御部２５０はステップＳ５３で、電源をオフからオン状態に切り替える。ステップＳ５２において本体２１３の電源がオンにされていると判定された場合、処理はステップＳ５３の処理はスキップされる。
【０１１６】
ステップＳ５４において、主制御部２５０は、記憶部２６４に記憶されている「調整時刻データ」を読み出し、クロック２６８からの基準時刻情報を参照して、現在時刻が調整時刻であるか否かを判定する。ステップＳ５４において現在時刻が調整時刻ではないと判定された場合、処理は現在時刻が電源切り替え時刻になるまで待機する。
【０１１７】
ステップＳ５４において現在時刻が調整時刻であると判定された場合、主制御部２５０はステップＳ５５で、送受信回路部２６２を介して最寄りの基地局３１と通信し、正確な基準時刻情報を受信、取得する。ステップＳ５６において、主制御部２５０は、送受信回路部２６２を介して最寄りの基地局３１から取得された正確な基準時刻情報に基づいて、クロック２６８において計時されている現在時刻を合わせる。
【０１１８】
主制御部２５０は、同期信号生成部２６７に、クロック２６８からの基準時刻情報を参照して、ディジタル携帯電話機５１内において同期をとるための同期信号を生成させる。同期信号生成部２６７は、主制御部２５０の指示に基づいて、クロック２６８から基準時刻情報を読み出すとともに、読み出された基準時刻情報に基づいて、同期信号を生成し、ディジタル携帯電話機５１の各部に供給する。
【０１１９】
なお、以上においては、最寄りの基地局３１から正確な基準時刻情報を取得するようにしたが、ネットワーク２２に接続されているＷＷＷ（Ｗｏｒｌｄ  Ｗｉｄｅ  Ｗｅｂ）サーバなどから取得するようにしてもよいし、電波時計などから取得するようにしてもよい。
【０１２０】
ステップＳ５７において、主制御部２５０は、記憶部２６４に記憶されている「点滅パターンファイルデータ」に含まれる「点滅パターンデータ」を読み出し、発光素子駆動部２６５に供給する。
【０１２１】
ステップＳ５８において、主制御部２５０は、クロック２６８からの基準時刻情報を参照して、読み出された「点滅パターンファイルデータ」に含まれる「点滅開始時刻データ」に基づいて、現在時刻が点滅開始時刻であるか否かを判定する。
【０１２２】
ステップＳ５８において点滅開始時刻ではないと判定された場合、処理は現在時刻が点滅開始時刻になるまで待機する。ステップＳ５８において現在時刻が点滅開始時刻であると判定された場合、主制御部２５０はステップＳ５９で、発光素子２２５と発光素子２２６を、記憶部２６４に記憶されている所定の点滅パターンで点滅させるように発光素子駆動部２６５を制御する。発光素子駆動部２６５は、主制御部２５９の指示に基づいて、同期信号生成部２６７から供給された同期信号に同期して、記憶部２６４に記憶されている所定の点滅パターンで点滅するように発光素子２２５と発光素子２２６の駆動を開始させる。これにより、発光素子２２５と発光素子２２６は、他のユーザと同期した点滅パターン（例えば、「レッド」の発光色で１秒間に１回点滅する点滅パターン）で点滅を開始する。
【０１２３】
ステップＳ６０において、主制御部２５０は、クロック２６８からの基準時刻情報を参照して、読み出された「点滅パターンファイルデータ」に含まれる「点滅終了時刻データ」に基づいて、現在時刻が点滅終了時刻であるか否かを判定する。
【０１２４】
ステップＳ６０において点滅終了時刻ではないと判定された場合、処理はステップＳ５９に戻り、発光素子２２５と発光素子２２６は、点滅を繰り返す。
【０１２５】
ステップＳ６０において現在時刻が点滅終了時刻であると判定された場合、主制御部２５０はステップＳ６１で、読み出された「点滅パターンファイルデータ」の「点滅開始時刻データ」に、他の点滅開始時刻があるか否かを判定する。
【０１２６】
ステップＳＳ６１において他の点滅開始時刻があると判定された場合、処理はステップＳ５８に戻り、同様の処理が繰り返される。これにより、「点滅パターンデータ」に複数の点滅パターンが含まれる場合、ライブにおいて１曲ごとに異なる点滅パターンに基づいて発光素子２２５と発光素子２２６を点滅させることができる。
【０１２７】
ステップＳ６１において他の点滅開始時刻はないと判定された場合、同期点滅処理は終了する。
【０１２８】
ところで、大きなライブ会場で演奏される曲のリズムに合わせてペンライトなど点滅させようとすると、音の伝播速度のために、ライブ会場の後部では前部に比べて音が遅く届くため、ペンライトなどの点滅における遅延が生じてしまい、複数のペンライトの点滅を完全に同期させることは困難となる。
【０１２９】
しかし、以上のように、クロック２６８が計時する時刻に基づいて同期させるようにすることで、このような会場の前側の席と後側の席における同期ずれを防止することができる。ライブ会場などにおいて所定の点滅パターンで点滅する前に、クロック２６８の基準時刻情報を合わせるようにしたので、たとえライブ会場に１０万人のユーザが集まっていても、各ユーザの点滅パターンを完全に同期させることができる。
【０１３０】
また、ライブ会場などにおいて複数のディジタル携帯電話機５１を同期して点滅させる場合、ライブ会場におけるユーザのディジタル携帯電話機５１がユーザの場所（席）により異なる点滅パターンで点滅するように、異なる点滅パターンデータを予めコンテンツサーバ２１から各ユーザのディジタル携帯電話機５１に送信するようにしてもよい。
【０１３１】
図１３の例の場合、ライブ会場には、出演者が演じるステージとしてのエリアＥと、その周りに、ユーザ（観客）が出演者の実演を実際に観る観客席としてのエリアＡ、エリアＢ、エリアＣ、およびエリアＤが設けられている。このような場合、例えば、エリアＡ、エリアＢ、エリアＣ、およびエリアＤのエリアごとに、それぞれのエリアの座席のチケットを購入したユーザに、その席に対応する点滅パターンでユーザのディジタル携帯電話機５１が点滅するようにしてもよい。例えば、エリアＡにおいて「レッド」の発光色で１秒間に１回点滅するようにし、エリアＢにおいて「グリーン」の発光色で１秒間に２回点滅するようにし、エリアＣにおいて「ブルー」の発光色で１秒間に３回点滅するようにし、エリアＤにおいて「ピンク」の発光色で１秒間に２回点滅するようにする。これにより、ライブ会場全体で複雑なパターンになるように、複数のディジタル携帯電話機５１で同期して点滅することができる。
【０１３２】
なお、以上においては、ユーザがコンテンツサーバ２１から点滅パターンファイルをダウンロードする場合、ユーザがライブチケット購入時に購入したＣＤ−ＲＯＭに記録されている接続情報に含まれるアクセス時刻にアクセスするようにしたが、図１４に示されるように、ユーザがライブ前日やライブ当日などにライブ会場に来たとき、すなわち、ライブ会場を管轄する基地局３１の無線電波エリア（セル）ｇに、その周りの無線電波エリア（セル）ａ乃至無線電波エリア（セル）ｆのいずれかのエリア（セル）からユーザが入ったとき、ライブ会場が含まれる無線電波エリア（セル）ｇを管轄する基地局３１のアドレスに基づいてダウンロードするようにしてもよい。図１５は、この場合の処理を表している。
【０１３３】
次に、図１５のフローチャートに示される点滅パターンファイル記憶処理について説明する。なお、図１５のステップＳ１０１乃至Ｓ１０８の処理は、基本的には、図７のステップＳ１乃至Ｓ８の処理と同様の処理である。
【０１３４】
但し、ステップＳ１０１においてＣＤ−ＲＯＭなどから取得され、ステップＳ１０２において記憶部２６４に記憶された接続情報は、図１６に示されるように、例えば、「点滅パターンファイルタイトル名」および「アクセス先アドレス」の他に、「基地局アドレス」から構成される。なお、「点滅パターンファイルタイトル名」と「アクセス先アドレス」については図８における説明と同様であるので、その説明は省略する。「基地局ＩＤ」は、実際にライブが行われるライブ会場が含まれる無線エリア（セル）を管轄する基地局３１のＩＤである。すなわち、この基地局ＩＤは、位置情報としての機能を有する。
【０１３５】
ステップＳ１０３において、主制御部２５０は、記憶部２６４に記憶されている「基地局ＩＤ」を読み出し、基地局３１から常時無線を介して受信する情報に基づいて、その送信元のＩＤが、記憶されている基地局ＩＤと一致するか否か（ユーザが所定の基地局３１の無線電波エリア内に位置しているか否か）を判定する。なお、基地局３１から常時無線を介して受信する情報には、基地局のＩＤの他に、チャンネル制御情報などの種々の制御情報などが含まれる。
【０１３６】
ステップＳ１０３において送信元のＩＤが所定の基地局ＩＤと一致しないと判定された場合、処理は送信元のＩＤが記憶されている基地局ＩＤと一致するまで待機する。
【０１３７】
ステップＳ１０３において送信元のＩＤが記憶されている基地局ＩＤと一致すると判定された場合、主制御部２５０はステップＳ１０４で、変復調回路部２５８に回線を接続させるとともに、記憶部２６４に記憶された「アクセス先アドレス」（すなわち、コンテンツサーバ２１のＵＲＬ）を読み出し、コンテンツサーバ２１に接続を開始させる。
【０１３８】
なお、基地局３１のＩＤに基づいて点滅パターンファイルをダウンロードする場合、ユーザがライブ会場などに集中すると、ライブ会場が位置する無線電波エリア（図１４の例の場合、無線電波エリアｇ）を管轄する基地局３１に、同時に接続可能なディジタル携帯電話機５１の数を超えてしまい、その基地局３１を介してコンテンツサーバ２１に接続することができなってしまうおそれがある。
【０１３９】
これを防ぐため、ライブチケット購入時にユーザが購入したＣＤ−ＲＯＭに記録された接続情報に、「基地局ＩＤ」の他、ユーザごとに異なる時間帯を設定した「アクセス時刻データ」が予め含まれるようにしてもよい。これにより、ユーザがライブ会場が含まれる無線電波エリアを有する基地局３１に入ったとしても、ダウンロード開始時刻にならないとコンテンツサーバ２１に接続しないようにすることができる。従って、特定の基地局３１における回線の混雑を抑制することができる。
【０１４０】
また、特定の基地局３１（図１４の例の場合、無線電波エリアｇを有する基地局３１）内のディジタル携帯電話機５１の数が増加しているとき、特定の基地局３１を介してコンテンツサーバ２１に接続することができなくなるというトラフィック情報を特定の基地局３１からユーザに送信するとともに、特定の基地局３１においてコンテンツサーバ２１に接続することができないようにしてもよい。
【０１４１】
さらに、特定の基地局３１におけるトラフィック情報を基地局３１同士で有線回線（例えば、伝送路、光ファイバ回線、マイクロウェーブ回線など）を介して送受信するようにしてもよい。
【０１４２】
なお、点滅の制御は、ライブに限らず、ライブ以外の、各種のイベント会場でのイベントなどにも適用することができる。
【０１４３】
以上においては、現在時刻が記憶部２６４に記憶されている点滅開始時刻になると、点滅パターンデータに基づいて点滅するようにしたが、点滅を開始させるためのトリガとして、例えば、上述した基地局ＩＤを用いてもよい。これにより、ユーザが所定の基地局３１の無線電波エリアに位置する場所で友人と待ち合わせる場合、予めネットワーク２２や雑誌などから所定の基地局３１のＩＤを取得しておくことにより、ユーザは待ち合わせ場所のエリアに到達したか否かを容易に知ることができる。
【０１４４】
また、点滅を開始させるためのトリガとして、例えば、ＧＰＳ（Ｇｌｏｂａｌ  Ｐｏｓｉｔｉｏｎｉｎｇ  Ｓｙｓｔｅｍ）、ＬＡＮ、ＷＡＮなどのネットワークからの現在位置を表す位置情報、を用いてもよい。位置に応じて点滅パターンを変化させれば、目的位置に対応する相対的位置を簡単に知ることができる。
【０１４５】
また、以上においては、コンテンツサーバ２１から予め作成された点滅パターンファイルを取得するようにしたが、コンテンツサーバ２１から点滅パターンファイル作成用データをネットワーク２２を介して取得し、点滅パターンファイル作成用データに基づいて、ユーザが任意に点滅パターンファイルを作成するようにしてもよい。さらに、図１７に示されるよう、作成する際に点滅パターンを予め暗号化してもよい。
【０１４６】
図１７のテーブル４０１においては、発光色と点滅の回数で５０音とアルファベット文字が表現されている。縦方向に、例えば、「レッド」、「ピンク」、「オレンジ」などの発光色が規定されている。
【０１４７】
また、横方向に、「点滅１」乃至「点滅５」の点滅パターンが規定されている。例えば、「点滅１」、「点滅２」、および「点滅３」は、それぞれ、点滅間隔が異なり、「点滅１」は、１秒間に１回点滅する点滅パターンであり、「点滅２」は、１秒間に２回点滅する点滅パターンであり、「点滅３」は、１秒間に６回点滅する点滅パターンである。
【０１４８】
より具体的には、例えば、「あ」は、「レッド」の「点滅１」が対応付けられている。「き」は、「ピンク」の「点滅２」が対応付けられている。その他同様に、発光色と点滅パターンが、各文字にそれぞれ対応付けられている。なお、テーブル４０１における「Ｒｅｓｅｒｖｅｄ」は、予備として設けられている。
【０１４９】
以上のように暗号化することにより、例えば、ユーザＡにより作成された点滅パターンファイルをメモリスティック２２３などに記憶させ、これをユーザＢと共有しておき、ユーザＡとユーザＢとの間のメールの受信時において、記憶されている点滅パターンに基づいてメールの内容に対応して発光部２６６を点滅させることができる。なお、３人以上のユーザで同じ点滅パターンファイルを共有するようにしてもよい。
【０１５０】
また、以上においては、発光色と点滅パターンを各文字に対応付けるようにしたが、他のユーザの電話番号、音楽、外部の音、特定の周波数、テレビの画像、ラジオ情報、外部温度、天候などの種々のものに対応付けて暗号化してもよい。
【０１５１】
本発明の実施の形態においては、携帯電話機を例としたが、本発明は、ユーザが常時に携帯することができるＰＤＡ（Ｐｅｒｓｏｎａｌ  Ｄｉｇｉｔａｌ  Ａｓｓｉｓｔａｎｔ）、その他の特に携帯用の情報処理装置にも適用するようにしてもよい。
【０１５２】
上述した一連の処理は、ハードウェアにより実行することもできるし、ソフトウェアにより実行することもできる。ソフトウェアにより実行される場合、上述した一連の処理を実行するプログラムがカメラ付ディジタル携帯電話機５１や、図１８に示されるようなパーソナルコンピュータにインストールされる。
【０１５３】
図１８において、ＣＰＵ５０１は、ＲＯＭ５０２に記憶されているプログラム、または記憶部５０８からＲＡＭ５０３にロードされたプログラムに従って各種の処理を実行する。ＲＡＭ５０３にはまた、ＣＰＵ５０１が各種の処理を実行する上において必要なデータなども適宜記憶される。
【０１５４】
ＣＰＵ５０１、ＲＯＭ５０２、およびＲＡＭ５０３は、バス５０４を介して相互に接続されている。このバス５０４にはまた、入出力インタフェース５０５も接続されている。
【０１５５】
入出力インタフェース５０５には、キーボード、マウスなどよりなる入力部５０６、ＣＲＴ（ＣａｔｈｏｄｅＲａｙ  Ｔｕｂｅ）、ＬＣＤなどよりなるディスプレイ、並びにスピーカなどよりなる出力部５０７、ハードディスクなどより構成される記憶部５０８、モデム、ターミナルアダプタなどより構成される通信部５０９が接続されている。通信部５０９は、インターネットを含むネットワーク２２を介しての通信処理を行う。
【０１５６】
入出力インタフェース５０５にはまた、必要に応じてドライブ５１０が接続され、磁気ディスク５２１、光ディスク５２２、光磁気ディスク５２３、或いは半導体メモリ５２４などが適宜装着され、それらから読み出されたコンピュータプログラムが、必要に応じて記憶部５０８にインストールされる。
【０１５７】
コンピュータにインストールされ、コンピュータによって実行可能な状態とされるプログラムを格納するプログラム格納媒体は、図１８に示されるように、磁気ディスク５２１（フロッピディスクを含む）、光ディスク５２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク５２３（ＭＤ（Ｍｉｎｉ−Ｄｉｓｋ）を含む）、もしくは半導体メモリ５２４などよりなるパッケージメディア、または、プログラムが一時的もしくは永続的に格納されるＲＯＭ５０２や、記憶部５０８を構成するハードディスクなどにより構成される。プログラム格納媒体へのプログラムの格納は、必要に応じてルータ、モデムなどのインタフェースを介して、ローカルエリアネットワーク、インターネット、ディジタル衛星放送といった、有線または無線の通信媒体を利用して行われる。
【０１５８】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５９】
【発明の効果】
以上のように、本発明によれば、複数の情報処理装置に情報を提供することができる。特に、限定された地域の情報処理装置に情報を提供することができる。また、トラフィックの混乱を避けることができる。複数の情報処理装置を同期させることができる。
【０１６０】
また、本発明によれば、発光部を点滅パターンに基づいて点滅することができる。特に、他の情報処理装置と同期して発光部を点滅させることができる。また、簡単かつ容易に、同じ点滅パターンで点滅させることができる。
【図面の簡単な説明】
【図１】本発明を適用したネットワークシステムの全体の構成を示す図である。
【図２】図１のコンテンツサーバの構成を示すブロック図である。
【図３】図１のディジタル携帯電話機の外観の構成を示す斜視図である。
【図４】図１のカメラ部を回動したときの表示部の構成を示す斜視図である。
【図５】図１のディジタル携帯電話機の背面側の外観の構成を示す斜視図である。
【図６】図１のディジタル携帯電話機の内部の構成を示すブロック図である。
【図７】図１のディジタル携帯電話機における点滅パターンファイル記憶処理を説明するフローチャートである。
【図８】接続情報に含まれるデータを説明する図である。
【図９】図１のコンテンツサーバにおける点滅パターンファイル配信処理を説明するフローチャートである。
【図１０】図２のコンテンツサーバのデータベースの例を示す図である。
【図１１】点滅パターンファイルに含まれるデータを説明する図である。
【図１２】図１のカメラ付ディジタル携帯電話機における同期点滅処理を説明するフローチャートである。
【図１３】複数のカメラ付ディジタル携帯電話機による同期点滅を説明する図である。
【図１４】図１の基地局のセルを説明する図である。
【図１５】図１のカメラ付ディジタル携帯電話機における他の点滅パターンファイル記憶処理を説明するフローチャートである。
【図１６】接続情報に含まれる他のデータを説明する図である。
【図１７】暗号化された点滅パターンデータの例を示す図である。
【図１８】パーソナルコンピュータの構成例を示すブロック図である。
【符号の説明】
１  ネットワークシステム，  ２１  コンテンツサーバ，  ２２  ネットワーク，  ２３  公衆回線網，  ２４  管理制御装置，  ３１−１乃至３１−４  基地局，  ５１−１乃至５１−４  カメラ付ディジタル携帯電話機，  １０１  送受信部，  １０２  制御部，  １０３  データベース，  ２１４  アンテナ，  ２２３  メモリスティック，  ２２５  発光素子，  ２２６  発光素子，  ２５０  主制御部，  ２５１  電源回路部，  ２５２  操作入力制御部，  ２５３  画像エンコーダ，  ２５４  カメラインタフェース，  ２５５  ＬＣＤ制御部，  ２５６  画像エンコーダ，  ２５７  多重分離部，  ２５８  変復調回路部，  ２５９  音声コーデック，  ２６０  メインバス，  ２６１  同期バス，  ２６２  送受信回路，  ２６３  記録再生部，  ２６４  記憶部，  ２６５  発光素子駆動部，  ２６６  発光部，  ２６７  同期信号生成部，  ２６８  クロック
【図１】
2004297324.tif 000003
【図２】
2004297324.tif 000004
【図３】
2004297324.tif 000005
【図４】
2004297324.tif 000006
【図５】
2004297324.tif 000007
【図６】
2004297324.tif 000008
【図７】
2004297324.tif 000009
【図８】
2004297324.tif 000010
【図９】
2004297324.tif 000011
【図１０】
2004297324.tif 000012
【図１１】
2004297324.tif 000013
【図１２】
2004297324.tif 000014
【図１３】
2004297324.tif 000015
【図１４】
2004297324.tif 000016
【図１５】
2004297324.tif 000017
【図１６】
2004297324.tif 000018
【図１７】
2004297324.tif 000019
【図１８】
2004297324.tif 000020